(57)【要約】【課題】本開示は、ＯＮＵ及びＯＬＴを用いることなく、所望のサービス利用状態に合わせたＯＮＵからの光信号を用意することを目的とする。【解決手段】本開示に係る模擬信号光生成装置１０は、ＰＯＮ（Ｐａｓｓｉｖｅ  ｏｐｔｉｃａｌ  ｎｅｔｗｏｒｋ）におけるＯＮＵ（Ｏｐｔｉｃａｌ  ｎｅｔｗｏｒｋ  ｕｎｉｔ）において生成される上り信号光を模擬的に生成する模擬信号光生成装置１０であって、ＯＮＵのサービス利用状態を設定する利用状態制御部１１と、利用状態制御部１１で設定した利用状態に応じた上り信号フレームを生成する信号生成部１２と、信号生成部１２からの電気信号を光信号へ変換する電気／光変換部１３と、を備え、電気／光変換部１３からの光信号を光ファイバ心線２２に繰り返し送出する。【選択図】図１
2020036176.tif 000002
【特許請求の範囲】
【請求項１】
ＰＯＮ（Ｐａｓｓｉｖｅ  ｏｐｔｉｃａｌ  ｎｅｔｗｏｒｋ）におけるＯＮＵ（Ｏｐｔｉｃａｌ  ｎｅｔｗｏｒｋ  ｕｎｉｔ）において生成される上り信号光を模擬的に生成する模擬信号光生成装置であって、
前記ＯＮＵのサービス利用状態を設定する利用状態制御部と、
前記利用状態制御部で設定した利用状態に応じた上り信号フレームを生成する信号生成部と、
前記信号生成部からの電気信号を光信号へ変換する電気／光変換部と、
を備え、
前記電気／光変換部からの光信号を前記上り信号光として光ファイバ心線に繰り返し送出する模擬信号光生成装置。
【請求項２】
前記ＯＮＵのサービス利用状態は、ＩＰ通信及び電話を含み、
前記上り信号フレームは、ＶＬＡＮタグを示すタグプロトコル識別子及びタグコントロール情報を含み、
前記信号生成部は、ＩＰ通信及び電話のそれぞれに応じた前記タグプロトコル識別子及び前記タグコントロール情報の組み合わせを含む、前記上り信号フレームを生成する、
請求項１に記載の模擬信号光生成装置。
【請求項３】
前記利用状態制御部がＶＬＡＮタグの不使用を設定した場合、前記信号生成部は、ＶＬＡＮタグを不使用時の前記タグプロトコル識別子を用いた第１の上り信号フレームを、予め設定された第１の周期で生成し、
前記利用状態制御部がＶＬＡＮタグの使用を設定した場合、前記信号生成部は、ＶＬＡＮタグを使用時の前記タグプロトコル識別子及び前記タグコントロール情報の組み合わせを用いた第２の上り信号フレームを、前記第１の周期よりも大きな第２の周期で生成し、前記第１の上り信号フレームの一部を、前記第２の周期で、前記第２の上り信号フレームに置き換える、
請求項２に記載の模擬信号光生成装置。
【請求項４】
前記電気／光変換部は複数であり、
前記信号生成部は、生成した上り信号フレームを、前記利用状態制御部の設定した利用状態ごとに定められた前記電気／光変換部に出力し、
前記電気／光変換部は、それぞれ、前記電気／光変換部ごとに定められた異なるポートに光信号を出力する、
請求項１から３のいずれかに記載の模擬信号光生成装置。
【請求項５】
前記信号生成部は、ポートに応じた論理リンク識別子の記載されたプリアンブルを含む、前記上り信号フレームを生成する、
請求項４に記載の模擬信号光生成装置。
【請求項６】
前記信号生成部は、ポートに応じた送信元アドレスの記載された前記上り信号フレームを生成する、
請求項４又は５に記載の模擬信号光生成装置。
【請求項７】
前記ポートは、それぞれ、遠端が光スプリッタで互いに接続された光ファイバ心線と接続されており、
前記ポートのそれぞれから出力された光信号が前記光スプリッタで合波後に衝突しないタイミングで、前記ポートごとに定められた光強度の光信号を出力する、
請求項４から６のいずれかに記載の模擬信号光生成装置。
【請求項８】
ＰＯＮ（Ｐａｓｓｉｖｅ  ｏｐｔｉｃａｌ  ｎｅｔｗｏｒｋ）におけるＯＮＵ（Ｏｐｔｉｃａｌ  ｎｅｔｗｏｒｋ  ｕｎｉｔ）において生成される上り信号光を模擬的に生成する模擬信号光生成装置が実行する模擬信号光生成方法であって、
前記ＯＮＵのサービス利用状態を設定する利用状態制御手順と、
前記利用状態制御手順で設定した利用状態に応じた上り信号フレームを生成する信号生成手順と、
前記信号生成手順で生成した上り信号フレームの電気信号を光信号へ変換する電気／光変換手順と、
を備え、
前記電気／光変換手順で変換された光信号を前記上り信号光として光ファイバ心線に繰り返し送出する模擬信号光生成方法。
【発明の詳細な説明】
【技術分野】
【０００１】
この開示は、ＰＯＮ（Ｐａｓｓｉｖｅ  ｏｐｔｉｃａｌ  ｎｅｔｗｏｒｋ）における光スプリッタ下部の光線路を模擬するための装置及び方法に関する。
【背景技術】
【０００２】
交換局に入局することなく、所外の線路の接続点にて対象とする光ファイバ心線の末端に接続されたユーザの宅内の光回線終端装置の通信をモニタするための通信モニタ装置が提案されている（例えば、特許文献１参照。）。特許文献１の通信モニタ装置では対象とする現用の光ファイバ心線に対して通信に影響を与えない程度に曲げを付与し、漏洩光を受信することで光ファイバ心線の末端に接続された光回線終端装置からの上り信号光を取得し、取得した信号から光回線終端装置のＭＡＣアドレスやサービス利用状態をモニタすることができる。
【０００３】
特許文献１の手法を実現するための装置の検査や検証、評価、さらに、作業者の訓練などを行う際には、光回線終端装置からの光信号を用い、また、所望のサービス利用状態に合わせた光信号を用意する必要がある。
【０００４】
ここで、ＧＥ−ＰＯＮ（Ｇｉｇａｂｉｔ  Ｅｔｈｅｒｎｅｔ  ｐａｓｓｉｖｅ  ｏｐｔｉｃａｌ  ｎｅｔｗｏｒｋ）をはじめとするＰＯＮ（Ｐａｓｓｉｖｅ  Ｏｐｔｉｃａｌ  Ｎｅｔｗｏｒｋ）においては、親装置である光回線終端装置ＯＬＴ（Ｏｐｔｉｃａｌ  ｌｉｎｅ  ｔｅｒｍｉｎａｌ）と子装置である光回線終端装置ＯＮＵ（Ｏｐｔｉｃａｌ  ｎｅｔｗｏｒｋ  ｕｎｉｔ）で構成され、ＯＬＴが複数台のＯＮＵを制御と管理を行い通信を行っている。
【０００５】
ＰＯＮでは他のＯＮＵの上り信号光と衝突しないように、ＯＬＴがタイミングを制御してそれぞれのＯＮＵが上り信号光を発光するため、ＯＮＵはＯＬＴと接続されＯＬＴからの下り信号光を受信しているときのみ上り信号光を発光する。したがって、上記装置を検証、評価などを行うための検証系を構築するためには、ＯＮＵとＯＬＴを用意して接続し、サービスを提供するプロバイダと契約し、電話やＩＰ通信を行っている状態を模擬するためのユーザー端末や電話などを用意する必要があるなど、用意すべき物品が多く非常に手間がかかり、さらにＯＬＴと接続された光ファイバ心線をＯＮＵに接続できる場所でしか検証系を構築できず検証場所が限定されてしまう問題がある。
【先行技術文献】
【特許文献】
【０００６】
【特許文献１】特開２０１５−１３２７７５号公報
【非特許文献】
【０００７】
【非特許文献１】技術基礎講座  ＧＥ−ＰＯＮ技術  第２回  ＩＥＥＥ８０２．３ａｈ標準規格、ＮＴＴ技術ジャーナル、２００５．９．
【発明の概要】
【発明が解決しようとする課題】
【０００８】
そこで本開示は、上記問題を解決すべく、ＯＮＵ及びＯＬＴを用いることなく、所望のサービス利用状態に合わせたＯＮＵからの上り信号光を用意することを目的とする。
【課題を解決するための手段】
【０００９】
ＯＬＴからの下り信号光を受信していなくても、一つの装置のみで、ＯＮＵの上り信号光を発光でき、さらに所望のサービス利用状態に応じた模擬的な上り信号フレームを送出できるように制御する機能を有する装置及び方法を実現する。
【００１０】
具体的には、本開示に係る模擬信号光生成装置は、
ＰＯＮ（Ｐａｓｓｉｖｅ  ｏｐｔｉｃａｌ  ｎｅｔｗｏｒｋ）におけるＯＮＵ（Ｏｐｔｉｃａｌ  ｎｅｔｗｏｒｋ  ｕｎｉｔ）において生成される上り信号光を模擬的に生成する模擬信号光生成装置であって、
前記ＯＮＵのサービス利用状態を設定する利用状態制御部と、
前記利用状態制御部で設定した利用状態に応じた上り信号フレームを生成する信号生成部と、
前記信号生成部からの電気信号を光信号へ変換する電気／光変換部と、
を備え、
前記電気／光変換部からの光信号を前記上り信号光として光ファイバ心線に繰り返し送出する。
【００１１】
具体的には、本開示に係る模擬信号光生成方法は、
ＰＯＮ（Ｐａｓｓｉｖｅ  ｏｐｔｉｃａｌ  ｎｅｔｗｏｒｋ）におけるＯＮＵ（Ｏｐｔｉｃａｌ  ｎｅｔｗｏｒｋ  ｕｎｉｔ）において生成される上り信号光を模擬的に生成する模擬信号光生成装置が実行する模擬信号光生成方法であって、
前記ＯＮＵのサービス利用状態を設定する利用状態制御手順と、
前記利用状態制御手順で設定した利用状態に応じた上り信号フレームを生成する信号生成手順と、
前記信号生成手順で生成した上り信号フレームの電気信号を光信号へ変換する電気／光変換手順と、
を備え、
前記電気／光変換手順で変換された光信号を前記上り信号光として光ファイバ心線に繰り返し送出する。
【発明の効果】
【００１２】
本開示によれば、ＯＮＵ及びＯＬＴを用いることなく、所望のサービス利用状態に合わせたＯＮＵからの上り信号光を用意することができる。
【図面の簡単な説明】
【００１３】
【図１】本開示に係る模擬信号光生成装置の一例を示す構成図。
【図２】ＧＥ−ＰＯＮ  ＯＮＵが送出する通常時の上り信号フレームの一例。
【図３】ＧＥ−ＰＯＮ  ＯＮＵが送出するＶＬＡＮタグ使用時の上り信号フレームの一例。
【図４】実施形態１に係る模擬信号光生成装置の一例を示す構成図。
【図５】スイッチＳ２またはＳ３がＯＮの場合に送出する上り信号光の一例。
【図６】実施形態２に係る模擬信号光生成装置の一例を示す構成図。
【図７】実施形態３に係る模擬信号光生成装置の一例を示す構成図。
【発明を実施するための形態】
【００１４】
以下、本開示の実施形態について、図面を参照しながら詳細に説明する。なお、本開示は、以下に示す実施形態に限定されるものではない。これらの実施の例は例示に過ぎず、本開示は当業者の知識に基づいて種々の変更、改良を施した形態で実施することができる。なお、本明細書及び図面において符号が同じ構成要素は、相互に同一のものを示すものとする。
【００１５】
（本開示の概要）
図１に示すように、本開示に係る模擬信号光生成装置１０は、
ＯＮＵにおけるサービス利用状態を制御するための利用状態制御部１１と、
利用状態制御部１１で設定したサービス利用状態に応じてＯＮＵの上り信号フレームを生成する信号生成部１２と、
信号生成部１２で生成した電気信号を光信号へ変換し、上り信号光を生成する電気／光変換部１３と、
を備え、
所望の利用状態の（利用状態制御部１１で設定したサービス利用状態に応じた）模擬的な上り信号光を接続された光ファイバ心線２２に繰り返し送出する装置である。
【００１６】
このように、本開示では、模擬信号光生成装置１０が、ＧＥ−ＰＯＮで送信される上り信号光を、ＯＮＵに代えて模擬的に送信する。本開示に記載される「上り信号フレーム」は、ＧＥ−ＰＯＮで送信される上り信号光に用いられるデータ通信単位であり、ＯＳＩ（Ｏｐｅｎ  Ｓｙｓｔｅｍｓ  Ｉｎｔｅｒｃｏｎｎｅｃｔｉｏｎ）参照モデルのデータリンク層（Ｌａｙｅｒ  ２）を含む。
【００１７】
通信モニタ装置（不図示）は、模擬信号光生成装置１０の送信した模擬的な上り信号光を受信し、受信した上り信号光に載せられている上り信号フレームが所望のサービス利用状態に応じたフレーム構造になっているか否かを検証する。このとき、利用状態制御部１１は、ＩＰ通信や電話などのＯＮＵで受けられるサービス種別を設定する。信号生成部１２は、サービス種別に応じた上り信号フレームを生成する。このため、本開示は、所望のサービス種別に合わせた上り信号光に対する通信モニタ装置の検査や検証、評価、さらに、作業者の訓練などを、実際のＯＮＵ及びＯＬＴを用いることなく、任意の場所で行うことができる。
【００１８】
サービス種別とサービス名は、模擬信号光生成装置１０のユーザによって異なる場合がある。そこで、利用状態制御部１１で設定するサービス名は、模擬信号光生成装置１０のユーザが設定できることが好ましい。例えば、電話サービスのサービス名を「ひかり電話」に設定可能であることが好ましい。この場合、信号生成部１２の生成する上り信号フレームのフレーム構造についても、サービス名ごとに設定可能であることが好ましい。
【００１９】
さらに、模擬信号光生成装置１０は、ＧＥ−ＰＯＮで提供されているサービス名の一覧をプロバイダごとに表示し、そのなかで選択されたサービス名をサービス種別として利用状態制御部１１に設定可能であることが好ましい。このように、本開示において、サービス利用状態は、ＯＮＵの利用しうる任意のサービス種別を利用時のＯＮＵの状態を含む。例えば、サービス種別は、ＩＰ通信及び電話に限らず、ＩＰ通信における優先度を含んでもよい。
【００２０】
（実施形態１）
本実施形態に係る模擬信号光生成装置１０が送出する上り信号フレームの例を示す。ＧＥ−ＰＯＮの上り信号フレームは、ＩＥＥＥ８０２．３ａｈで規定されており（非特許文献１を参照）、図２及び図３に示すようなフレーム構成である。図２はＶＬＡＮタグを不使用の通常時の上り信号フレームであり、図３はＶＬＡＮタグ使用時の上り信号フレームを示している。
【００２１】
本実施形態に係る模擬信号光生成装置１０は所望のサービス利用状態に応じて、図２に示す第１の上り信号フレーム又は図３に示す第２の上り信号フレームのいずれかの模擬信号フレームを繰り返し送出する。ＧＥ−ＰＯＮ  ＯＮＵが通常送出する上り信号フレームは、図２に示すように、ＩＦＧ（Ｉｎｔｅｒ  ｆｒａｍｅ  ｇａｐ）、プリアンブル、宛先アドレス、送信元アドレス、タイプ、送信データ、フレームチェックシーケンス（ＦＣＳ：Ｆｒａｍｅ  ｃｈｅｃｋ  ｓｅｑｕｅｎｃｅ）、ＩＦＧを含む。ＶＬＡＮタグ使用時のＧＥ−ＰＯＮ  ＯＮＵが送出する上り信号フレームは、送信元アドレスとタイプの間にタグプロトコル識別子（ＴＰＩＤ：Ｔａｇ  ｐｒｏｔｏｃｏｌ  ｉｄｅｎｔｉｆｉｅｒ）、タグコントロール情報（ＴＣＩ：Ｔａｇ  ｃｏｎｔｒｏｌ  ｉｎｆｏｒｍａｔｉｏｎ）を含む。
【００２２】
電話やＩＰ通信などのサービスを利用しないとき、模擬信号光生成装置１０は、図２の上り信号フレームのみを送出する。一方、サービスを利用しているとき、模擬信号光生成装置１０は、図３の上り信号フレームを所定の周期で送出し、その周期以外のときは図２の上り信号フレームを送出する。サービス種別によって図３のＴＣＩ内の最初の３ビットに格納されている優先度の値を各サービスに対応する値（０〜７）に変更し送出する。それぞれの上り信号フレームを送出する周期についても模擬信号光生成装置１０の外部から変更できることが望ましい。
【００２３】
図４は、実施形態１に係る上り信号フレームを送出するための模擬信号光生成装置１０の構成例である。利用状態制御部１１にスイッチＳ１、Ｓ２、Ｓ３が備えられている。スイッチＳ１は上り信号光のＯＮ／ＯＦＦを、スイッチＳ２はＩＰ通信のＯＮ／ＯＦＦを、スイッチＳ３は電話のＯＮ／ＯＦＦを切り替えられる。さらに、スイッチＳ２はＩＰ通信についてのサービス利用状態を、スイッチＳ３は電話についてのサービス利用状態を設定可能であることが好ましい。また、これらサービス利用状態の設定は、スイッチＳ１、Ｓ２、Ｓ３に代えて、画面上にリスト表示されたサービス名などの識別子から選択可能であってもよい。
【００２４】
スイッチＳ１、Ｓ２、Ｓ３の状態に応じて実施形態１に記載の通り、模擬的な上り信号フレームを繰り返し送出する。これにより、通信モニタ装置において、上り信号フレームを用いた、データリンク層までの検査や検証、評価、さらに、作業者の訓練が可能になる。
【００２５】
具体的には、
・スイッチＳ１のみがＯＮの場合、すなわちＶＬＡＮタグを不使用の場合は、図２に示すような第１の上り信号フレームのみを送出する。このときタイプの２オクテットをそれぞれ０ｘ８８と０ｘ０８として送出する。
・スイッチＳ１およびＳ２がＯＮの場合、すなわちＶＬＡＮタグを使用の場合、図２に示す第１の上り信号フレームと、ＩＰ通信に対応する第２の上り信号フレームを送出する。第２の上り信号フレームは、図３に示すような、上り信号フレームのタイプの２オクテットをそれぞれ０ｘ０８と０ｘ００、ＴＰＩＤの２オクテットをそれぞれ０ｘ８１と０ｘ００とし、ＴＣＩの最初の３ビットの優先度をＩＰ通信に対応する０〜７のいずれかの値として送出する。
・スイッチＳ１およびＳ３がＯＮの場合、すなわちＶＬＡＮタグを使用の場合、図２の第１の上り信号フレームと、電話に対応する第３の上り信号フレームを送出する。第３の上り信号フレームも、図３に示すような、信号フレームのタイプの２オクテットをそれぞれ０ｘ０８と０ｘ００、ＴＰＩＤの２オクテットをそれぞれ０ｘ８１と０ｘ００とし、ＴＣＩの最初の３ビットの優先度を電話に対応する０〜７のいずれかの値として送出する。
・すべてのスイッチがＯＮの場合は、上記３つ場合の上り信号フレームすべての上り信号フレームを送出する。
【００２６】
ここで、本開示では、ＩＥＥＥ８０２．１ｑに用いられるＶＬＡＮタグ、ＴＰＩＤ、ＴＣＩの任意の値の組み合わせや、ＩＥＥＥ８０２．３ａｈに用いられる任意のタイプとすることができる。例えば、スイッチＳ２がＯＮの場合に、前述のタイプで指定されているＩＰｖ４に代えて、ＡＲＰ（Ａｄｄｒｅｓｓ  Ｒｅｓｏｌｕｔｉｏｎ  Ｐｒｏｔｏｃｏｌ）やＩＥＥＥ８０２．１Ｑ  ＶＬＡＮ  ｔａｇｇｅｄ  ｆｒａｍｅｓを用いてもよい。
【００２７】
図５に、スイッチＳ２又はＳ３がＯＮの場合の上り信号フレームの送出例を示す。ＶＬＡＮタグを使用している第２又は第３の上り信号フレームＦ２を第２の周期Ｐ２で送出し、その周期以外のときは図２に示す第１の上り信号フレームＦ１を第１の周期Ｐ１で送出する。第２及び第３の上り信号フレームＦ２を送出する場合は、第２及び第３の上り信号フレームそれぞれの周期で送出し、その周期以外のときは図２に示す第１の上り信号フレームＦ１を送出する。このように、スイッチＳ２又はＳ３がＯＮの場合、第１の上り信号フレームＦ１の一部が第２の信号フレームＦ２に置き換わる。このため、Ｎを自然数とすると、第２の周期Ｐ２は第１の周期Ｐ１のＮ倍の周期となる。
【００２８】
ここで、本開示の送出する上り信号フレームは模擬的な上り信号フレームであり、ＴＣＩの最初の３ビットの優先度、宛先アドレス、送信元アドレス、送信データの設定は、任意である。例えば、ＴＣＩに設定する第２及び第３の上り信号フレームの優先度は、スイッチＳ１及びＳ２がＯＮの場合やスイッチＳ１及びＳ３がＯＮの場合と同じであってもよいが、異なっていてもよい。また、第２の上り信号フレームよりも第３の上り信号フレームの優先度を高くすべきところを、低く設定してもよい。このように、通信モニタ装置の検査や検証、評価、さらに、作業者の訓練などの目的に応じ、標準規格に応じた設定だけでない、任意の設定が可能である。
【００２９】
なお、本実施形態では、コネクタ２１に接続される光ファイバ心線２２が１本である例を示したが、本開示はこれに限定されない。例えば、複数の通信モニタ装置に接続可能になるよう、コネクタ２１は複数の光ファイバ心線２２に接続可能であってもよい。
【００３０】
（実施形態２）
本実施形態は、複数の異なる上り信号フレームを送出する模擬信号光生成装置１０の構成例である。図６に、本実施形態に係る模擬信号光生成装置１０の一例を示す。本実施形態に係る模擬信号光生成装置１０は、ｎ個の利用状態制御部１１−１〜１１−ｎおよび電気／光変換部１３−１〜１３−ｎ、ｎ個のコネクタ２１−１〜２１−ｎ、および信号生成部１２を備える。ここで、ｎは、任意の自然数である。例えば、ｎは、ＧＥ−ＰＯＮにおいて１台のＯＬＴに対して接続可能なＯＮＵの数であり、３２以下の任意の自然数を採用しうる。
【００３１】
利用状態制御部１１−１〜１１−ｎは、それぞれ異なる利用状態に設定できる。信号生成部１２は利用状態制御部１１−１〜１１−ｎからの情報に応じて、ｎ個の電気／光変換部１３−１〜１３−ｎへ上り信号フレームを送出する。電気／光変換部１３−１〜１３−ｎは、ｎ個のそれぞれのポート１４−１〜１４−ｎからサービス利用状態に応じた上り信号フレームを送出する。電気／光変換部１３−１〜１３−ｎから送出する順番は、番号順やランダムなど適宜変更してもよい。
【００３２】
また、信号生成部１２からｎ個の電気／光変換部１３−１〜１３−ｎに送出する信号はそれぞれ、上り信号フレーム内の送信元アドレスを各ポート１４−１〜１４−ｎに対応する値に変換して送出することが望ましい。このとき、各ポート１４−１〜１４−ｎの送信元アドレスとして、模擬する各ＯＮＵの送信元アドレスを用いる。これにより、ＧＥ−ＰＯＮにおける複数のＯＮＵからの上り信号フレームを模擬できる。
【００３３】
さらに、信号生成部１２は、プリアンブルにおける６オクテット目と７オクテット目に格納されているＬＬＩＤ（論理リンク識別子）の値も各ポート１４−１〜１４−ｎに対応する値（１〜Ｎ）に変更して送出することが望ましい。このとき、各ポート１４−１〜１４−ｎのＬＬＩＤとして、模擬する各ＯＮＵのＬＬＩＤを用いる。たとえば、０ｘ０００１、０ｘ０００２、・・・、０ｘ０００ｎと異なる値に設定する。これにより、ＧＥ−ＰＯＮにおける複数のＯＮＵからの上り信号フレームを模擬できる。
【００３４】
（実施形態３）
本実施形態は、光スプリッタ下部の光線路を模擬するための模擬信号光生成装置に関する。図７に、本実施形態に係る模擬信号光生成装置１０の一例を示す。本実施形態に係る模擬信号光生成装置１０は、光ファイバ心線２２−１、２２−２、・・・、２２−ｎの遠端が光スプリッタ９３で接続されている。このため、本実施形態は、各ポート１４−１〜１４−ｎを光スプリッタ９３下部に接続された各ＯＮＵとして模擬することができる。
【００３５】
また、本実施形態に係る模擬信号光生成装置１０は、実施形態２においてｎ個の利用状態制御部１１−１、１１−２、・・・、１１−ｎおよび電気／光変換部１３−１、１３−２、・・・、１３−ｎおよび信号生成部１２に加え、さらにそれぞれの電気／光変換部１３−１、１３−２、・・・、１３−ｎから発光される出力信号の強度を制御する出力信号強度制御部１５を備える。出力信号強度制御部１５は、ポート１４−１〜１４−ｎの模擬する各ＯＮＵに対応する模擬的な往復遅延時間（ＲＴＴ：Ｒｏｕｎｄ  Ｔｒｉｐ  Ｔｉｍｅ）に応じて、電気／光変換部１３−１、１３−２、・・・、１３−ｎから発光される出力信号の強度を制御する。
【００３６】
出力信号強度制御部１５における出力信号の強度の制御方法は任意である。たとえば、出力信号強度制御部１５は、電気／光変換部１３−１〜１３−ｎの光出力信号の強度を直接制御する。出力信号強度制御部１５に代えて、コネクタ２１と電気／光変換部１３−１〜１３−ｎとの間に可変アッテネータ（不図示）を挿入し、損失量を制御してもよい。
【００３７】
本実施形態では、模擬信号光生成装置１０が出力信号強度制御部１５を備えるため、ｎ分岐の光スプリッタ９３下部の光ファイバ心線２２−１、２２−２、・・・、２２−ｎの長さやコネクタ２１−１〜２１−ｎの接続数などを変えることなく、光スプリッタ９３下部における各光ファイバ心線２２−１〜２２−ｎに対して任意の線路損失を模擬することが可能となる。
【００３８】
また、ｎ個の電気／光変換部１３−１〜１３−ｎから出力された光信号がｎ分岐の光スプリッタ９３で合波された後の光ファイバ心線２３で衝突しないように、以下の条件を満たすように各電気／光変換部１３−１〜１３−ｎから信号を出力することが望ましい。
【００３９】
・各電気／光変換部１３−１〜１３−ｎから光信号が出力される周期は（ｎ×１．２３×１０−５）秒以上。
・ある電気／光変換部１３−ｉ（ｉ＝１〜ｎ）が信号を出力し始めてから、１．２３×１０−５秒以上経過後に他の電気／光変換部１３−ｊ（ｊ＝１〜ｎ）が信号を出力する。
【００４０】
たとえば、ｎ＝８個の場合、各電気／光変換部１３−１〜１３−８から９．８４  ×１０−５秒以上ごとに信号が出力され、電気／光変換部１３−１から出力開始後１．２３×１０−５秒以上後に電気／光変換部１３−２から出力し、さらに１．２３×１０−５秒以上後に変換部１３−３から出力する（以下、変換部ｎまで同様）ことが望ましい。
【００４１】
本実施形態では、光スプリッタ９３の上部すなわちＯＬＴ（不図示）側に接続される光ファイバ心線２３において、通信モニタ装置を接続することができる。この場合、通信モニタ装置は、ＬＬＩＤ毎に送信元アドレスおよび優先度（ＩＰ通信や電話の数値）を取得し、各ポートの送信元アドレスとサービス利用状態を判定する。これにより、通信モニタ装置は、ＧＥ−ＰＯＮにおける複数のＯＮＵからの上り信号フレームの判定を模擬することができる。
【００４２】
なお、本実施形態では、光スプリッタ９３の下部すなわちＯＮＵを模擬している模擬信号光生成装置１０側に光ファイバ心線２２−１、２２−２、・・・、２２−ｎに通信モニタ装置を接続してもよい。この場合、通信モニタ装置は、ＬＬＩＤ毎に送信元アドレスおよび優先度（ＩＰ通信や電話の数値）を取得して記憶すればよい。これにより、通信モニタ装置は、ＧＥ−ＰＯＮにおける複数のＯＮＵからの上り信号フレームの判定を模擬することができる。
【産業上の利用可能性】
【００４３】
本開示は情報通信産業に適用することができる。
【符号の説明】
【００４４】
１０：模擬信号光生成装置
１１、１１−１、１１−２、１１−ｎ：利用状態制御部
１２：信号生成部
１３、１３−１、１３−２、１３−ｎ：電気／光変換部
１４−１、１４−２、１４−ｎ：ポート
１５：出力信号強度制御部
２１、２１−１、２２−２、２２−ｎ：コネクタ
２２、２２−１、２２−２、２２−ｎ、２３：光ファイバ心線
９３：光スプリッタ
【図１】
2020036176.tif 000003
【図２】
2020036176.tif 000004
【図３】
2020036176.tif 000005
【図４】
2020036176.tif 000006
【図５】
2020036176.tif 000007
【図６】
2020036176.tif 000008
【図７】
2020036176.tif 000009